(57)【要約】【課題】電力消費の削減が可能となる無線端末およびハンドオーバ制御方法を提供する。【解決手段】ハンドオーバ制御部２０３は、各セルの通算滞在時間を表すセルリストに従い受信品質を測定し受信品質が適正レベルとなるセルを探索し、探索後、切り替えられたセルの通算滞在時間を更新しセルリストを更新し、現行セルを探索されたセルに切り替える。【選択図】図２
2009253357.tif 000002
【特許請求の範囲】
【請求項１】
無線システムにおけるセルから他のセルへのハンドオーバを実行する無線端末において、
各セルの切り替え履歴を表すセルリストに従い受信品質を測定し受信品質が適正レベルとなるセルを探索する探索部と、
前記探索部により探索されると、切り替えられたセルの切り替え履歴を更新しセルリストを更新するセルリスト更新部と、
前記探索部により探索されたセルに通信用セルを切り替える切替部と、を備えたことを特徴とする無線端末。
【請求項２】
前記セルリストは、各セルの通算滞在時間を表し、
前記セルリスト更新部は、前記切り替えられたセルの通算滞在時間に前記切り替えられたセルの滞在時間を加算し、通算滞在時間の降順にセルを並び替えてセルリストを更新することを特徴とする請求項１に記載の無線端末。
【請求項３】
前記セルリスト更新部は、前記切り替えられたセルを通算滞在時間が０でないセルの中で最後にリストしてセルリストを更新することを特徴とする請求項２に記載の無線端末。
【請求項４】
前記セルリストは、各セルの切り替え回数を表し、
前記セルリスト更新部は、前記切り替えられたセルの切り替え回数に１を加算し、切り替え回数の降順にセルを並び替えてセルリストを更新することを特徴とする請求項１に記載の無線端末。
【請求項５】
前記セルリスト更新部は、前記切り替えられたセルを切り替え回数が０でないセルの中で最後にリストしてセルリストを更新することを特徴とする請求項４に記載の無線端末。
【請求項６】
前記探索部により探索されたセルへのセル切り替え履歴を保存する保存部を備え、
前記セルリスト更新部は、前記保存部により保存されたセル切り替え履歴において前記探索部により探索されたセルから切り替えられたことのあるセルが存在する場合、そのセルを優先的にリストしてセルリストを更新することを特徴とする請求項１に記載の無線端末。
【請求項７】
無線システムにおけるセルから他のセルへのハンドオーバを実行する無線端末のためのハンドオーバ制御方法において、
各セルの切り替え履歴を表すセルリストに従い受信品質を測定し受信品質が適正レベルとなるセルを探索する探索ステップと、
前記探索ステップにより探索されると、切り替えられたセルの切り替え履歴を更新しセルリストを更新するセルリスト更新ステップと、
前記探索ステップにより探索されたセルに通信用セルを切り替える切替ステップと、を含むことを特徴とするハンドオーバ制御方法。
【請求項８】
前記セルリストは、各セルの通算滞在時間を表し、
前記セルリスト更新ステップは、前記切り替えられたセルの通算滞在時間に前記切り替えられたセルの滞在時間を加算し、通算滞在時間の降順にセルを並び替えてセルリストを更新することを特徴とする請求項７に記載のハンドオーバ制御方法。
【請求項９】
前記セルリスト更新ステップは、前記切り替えられたセルを通算滞在時間が０でないセルの中で最後にリストしてセルリストを更新することを特徴とする請求項８に記載のハンドオーバ制御方法。
【請求項１０】
前記セルリストは、各セルの切り替え回数を表し、
前記セルリスト更新ステップは、前記切り替えられたセルの切り替え回数に１を加算し、切り替え回数の降順にセルを並び替えてセルリストを更新することを特徴とする請求項７に記載のハンドオーバ制御方法。
【請求項１１】
前記セルリスト更新ステップは、前記切り替えられたセルを切り替え回数が０でないセルの中で最後にリストしてセルリストを更新することを特徴とする請求項１０に記載のハンドオーバ制御方法。
【請求項１２】
前記探索ステップにより探索されたセルへのセル切り替え履歴を保存する保存ステップを含み、
前記セルリスト更新ステップは、前記保存ステップにより保存されたセル切り替え履歴において前記探索ステップにより探索されたセルから切り替えられたことのあるセルが存在する場合、そのセルを優先的にリストしてセルリストを更新することを特徴とする請求項７に記載のハンドオーバ制御方法。
【発明の詳細な説明】
【技術分野】
【０００１】
本発明は、無線端末およびハンドオーバ制御方法に関する。
【背景技術】
【０００２】
携帯可能な無線端末のための放送サービスに関する技術規格の一つとしてＤＶＢ−Ｈ（Ｄｉｇｉｔａｌ  Ｖｉｄｅｏ  Ｂｒｏａｄｃａｓｔｉｎｇ−Ｈａｎｄｈｅｌｄｓ）が定められている。ＤＶＢ−Ｈでは、基地局の設置につきセル方式が採用されており、基地局から各チャンネルのデータが時分割多重化により無線端末に送信される。同一チャンネルのデータ間では受信の必要がないので無線端末の受信部の電源をオフにし、無線端末の電力消費を抑えるようにしている。また、無線端末がセル間を移動すると現行の基地局からの電波が弱くなりそのままでは通信不良となるので、通信する基地局を切り替えるいわゆるハンドオーバが行われる（例えば、特許文献１および非特許文献１を参照）。
【特許文献１】特表２００７−５２９９３９号公報
【非特許文献１】Xiaodong Yang、外２名、"A SURVEY OF HANDOVER ALGORITHMS IN DVB-H" 、IEEE Communications Surveys & Tutorials、4th Quarter 2006、Volume8、No.4、p.16-p.29
【発明の開示】
【発明が解決しようとする課題】
【０００３】
しかし、従来の無線端末では、同一チャンネルのデータ間の期間に隣接セルリストの順番に受信品質を確認してハンドオーバを行っていたため、電力消費が大きくなってしまうという問題点があった。
【０００４】
上記問題点を鑑み、本発明は、電力消費の削減が可能となる無線端末およびハンドオーバ制御方法を提供することを目的とする。
【課題を解決するための手段】
【０００５】
上記目的を達成するために本発明の無線端末は、無線システムにおけるセルから他のセルへのハンドオーバを実行する無線端末において、各セルの切り替え履歴を表すセルリストに従い受信品質を測定し受信品質が適正レベルとなるセルを探索する探索部と、前記探索部により探索されると、切り替えられたセルの切り替え履歴を更新しセルリストを更新するセルリスト更新部と、前記探索部により探索されたセルに通信用セルを切り替える切替部と、を備えた構成としている。
【０００６】
このような構成によれば、切り替え履歴を考慮することにより、受信品質測定の頻度を削減して、電力消費の削減が可能となる。
【０００７】
また、上記構成の無線端末において、前記セルリストは、各セルの通算滞在時間を表し、前記セルリスト更新部は、前記切り替えられたセルの通算滞在時間に前記切り替えられたセルの滞在時間を加算し、通算滞在時間の降順にセルを並び替えてセルリストを更新するようにしてもよい。
【０００８】
さらにこの構成において、前記セルリスト更新部は、前記切り替えられたセルを通算滞在時間が０でないセルの中で最後にリストしてセルリストを更新するようにしてもよい。
【０００９】
また、上記構成の無線端末において、前記セルリストは、各セルの切り替え回数を表し、前記セルリスト更新部は、前記切り替えられたセルの切り替え回数に１を加算し、切り替え回数の降順にセルを並び替えてセルリストを更新するようにしてもよい。
【００１０】
さらにこの構成において、前記セルリスト更新部は、前記切り替えられたセルを切り替え回数が０でないセルの中で最後にリストしてセルリストを更新するようにしてもよい。
【００１１】
また、上記構成の無線端末において、前記探索部により探索されたセルへのセル切り替え履歴を保存する保存部を備え、前記セルリスト更新部は、前記保存部により保存されたセル切り替え履歴において前記探索部により探索されたセルから切り替えられたことのあるセルが存在する場合、そのセルを優先的にリストしてセルリストを更新するようにしてもよい。このような構成によれば、受信品質測定の頻度をより削減し、より電力消費を削減することが可能となる。
【００１２】
また、上記目的を達成するために本発明のハンドオーバ制御方法は、無線システムにおけるセルから他のセルへのハンドオーバを実行する無線端末のためのハンドオーバ制御方法において、各セルの切り替え履歴を表すセルリストに従い受信品質を測定し受信品質が適正レベルとなるセルを探索する探索ステップと、前記探索ステップにより探索されると、切り替えられたセルの切り替え履歴を更新しセルリストを更新するセルリスト更新ステップと、前記探索ステップにより探索されたセルに通信用セルを切り替える切替ステップと、を含む構成としている。
【００１３】
このような構成によれば、切り替え履歴を考慮することにより、受信品質測定の頻度を削減して、電力消費の削減が可能となる。
【００１４】
また、上記構成のハンドオーバ制御方法において、前記セルリストは、各セルの通算滞在時間を表し、前記セルリスト更新ステップは、前記切り替えられたセルの通算滞在時間に前記切り替えられたセルの滞在時間を加算し、通算滞在時間の降順にセルを並び替えてセルリストを更新するようにしてもよい。
【００１５】
さらにこの構成において、前記セルリスト更新ステップは、前記切り替えられたセルを通算滞在時間が０でないセルの中で最後にリストしてセルリストを更新するようにしてもよい。
【００１６】
また、上記構成のハンドオーバ制御方法において、前記セルリストは、各セルの切り替え回数を表し、前記セルリスト更新ステップは、前記切り替えられたセルの切り替え回数に１を加算し、切り替え回数の降順にセルを並び替えてセルリストを更新するようにしてもよい。
【００１７】
さらにこの構成において、前記セルリスト更新ステップは、前記切り替えられたセルを切り替え回数が０でないセルの中で最後にリストしてセルリストを更新するようにしてもよい。
【００１８】
また、上記構成のハンドオーバ制御方法において、前記探索ステップにより探索されたセルへのセル切り替え履歴を保存する保存ステップを含み、前記セルリスト更新ステップは、前記保存ステップにより保存されたセル切り替え履歴において前記探索ステップにより探索されたセルから切り替えられたことのあるセルが存在する場合、そのセルを優先的にリストしてセルリストを更新するようにしてもよい。このような構成によれば、受信品質測定の頻度をより削減し、より電力消費を削減することが可能となる。
【発明の効果】
【００１９】
本発明の無線端末およびハンドオーバ制御方法によれば、電力消費の削減が可能となる。
【発明を実施するための最良の形態】
【００２０】
以下、本発明の実施形態について図面を参照して説明する。
【００２１】
図１は、ＤＶＢ−Ｈにおける無線システムを示す概略図である。サーバ１０１は、ネットワーク１０２を介して各セル１０３の親局１０３ａに放送データを供給し、親局１０３ａは無線出力を行う。セル１０３の内部でセル１０３の弱電界地域には、サブセル１０４が設けられる。サブセル１０４のリピータ１０４ａは、親局１０３ａが出力した電波を周波数変換して無線出力する。携帯可能な無線端末１０５は、セル１０３またはサブセル１０４の電波を受信復調して放送データを取得する。
【００２２】
図２は、本発明に係る無線端末の概略構成図である。本発明に係る無線端末は、アンテナ２０１と、受信部２０２と、ハンドオーバ制御部２０３と、電力制御部２０４とを備えている。なお、無線端末の他の構成要素は本発明に直接関係しないので図２では省略している。
【００２３】
アンテナ２０１は、電波を受信し高周波信号を受信部２０２に出力する。受信部２０２は、ハンドオーバ制御部２０３の選局制御によりアンテナ２０１からの高周波信号より選局周波数の信号を抽出し、抽出された信号をベースバンド信号に変換し、ベースバンド信号をハンドオーバ制御部２０３に出力する。また、受信部２０２は、受信信号強度指標（ＲＳＳＩ）値を検出しハンドオーバ制御部２０３に出力する。ハンドオーバ制御部２０３は、ベースバンド信号をデジタル復調しトランスポートストリームを取得する。また、ハンドオーバ制御部２０３は、デジタル復調で得られる誤り情報と、受信部２０２から得られるＲＳＳＩ値とから受信品質を算出する。
【００２４】
電力制御部２０４は、消費電力を削減するために、ハンドオーバ制御部２０３の指示により受信部２０２への電力供給の制御を行う。
【００２５】
図３は、ＤＶＢ−Ｈにおけるデータ伝送を示す図である。ＤＶＢ−Ｈでは、時分割多重化により放送データが伝送され、複数チャンネルの各データを時系列に並べたものが繰り返し伝送される。同一チャンネルのデータであるデータ３０１、３０２、３０３は一定期間毎に伝送される（データ３０１とデータ３０２の間およびデータ３０２とデータ３０３の間に実際には他チャンネルのデータが並ぶ）。データ３０１とデータ３０２の間の期間であるオフ期間３０４、データ３０２とデータ３０３の間の期間であるオフ期間３０５では、無線端末はデータ受信する必要がないので受信部の電源を切り電力消費を抑えることが可能である。また、このオフ期間に、無線端末は現行セルと異なる周波数のチューニングをすることにより、現行セルに隣接するセルの受信品質を確認することができ、ハンドオーバを実行できる。
【００２６】
図４は、セルの配置例を示す図である。セルＡ、セルＢ、セルＣ、セルＤ、セルＥは、隣接するセルと周波数が重ならないように一般的には格子状に配置され、各セルの周波数は隣接するセルの周波数と異なる。隣接しないセルＡとセルＤ等は同一の周波数としてもよい。また、サブセルａ１、ａ２、ａ３はセルＡの内部に設けられ、サブセルｂ１、ｂ２はセルＢの内部に設けられ、サブセルｃ１、ｃ２、ｃ３はセルＣの内部に設けられ、サブセルｄ１、ｄ２はセルＤの内部に設けられ、サブセルｅ１、ｅ２はセルＥの内部に設けられる。サブセルとその親セル（例えば、サブセルａ１、ａ２、ａ３とセルＡ）もまた周波数が異なる。
【００２７】
（受信処理の第１実施形態）
次に、本発明に係る無線端末における受信処理について図６のフローチャートを用いて説明する。
【００２８】
無線端末において受信処理開始操作がされると、ステップＳ１０１で、ハンドオーバ制御部２０３は、電力制御部２０４に受信部２０２への電力供給をオンとさせ、放送周波数帯をスキャンして受信品質が設定値以上となる受信周波数を取得する。そして、ハンドオーバ制御部２０３は、取得された受信周波数の受信信号に基づくトランスポートストリームの中のサービス情報（ＳＩ：Ｓｅｒｖｉｃｅ  Ｉｎｆｏｒｍａｔｉｏｎ）からセル情報を取得する。セル情報は、サービス情報の中のネットワーク情報テーブル（ＮＩＴ：Ｎｅｔｗｏｒｋ  Ｉｎｆｏｒｍａｔｉｏｎ  Ｔａｂｌｅ）として提供され、例えば、図５のような構成（親セル情報５０１、５０２、５０３とサブセル情報５０１ａ１、５０１ａ２、５０１ａ３、５０２ａ１、５０２ａ２、５０３ａ１、５０３ａ２、５０３ａ３）で与えられ、各セルのセルＩＤと周波数を含む。ハンドオーバ制御部２０３は、取得したセル情報からセル毎の滞在時間の通算時間を表すセルリストを作成する。ここで、各セルの滞在時間の通算時間は０とする。また、ハンドオーバ制御部２０３は、トランスポートストリームの中のＴＰＳ（Ｔｒａｎｓｍｉｓｓｉｏｎ  Ｐａｒａｍｅｔｅｒ  Ｓｉｇｎａｌｉｎｇ）からセルＩＤを取得し、これを現行セルとする。
【００２９】
そして、ステップＳ１０２で、ハンドオーバ制御部２０３は、現在の受信周波数で指定チャンネルのデータを受信し、受信品質を算出する。
【００３０】
そして、ステップＳ１０３で、ハンドオーバ制御部２０３は、算出された受信品質が設定値以上であるか否か判定し、設定値以上であれば（ステップＳ１０３のＹ）、電力制御部２０４に受信部２０２への電力供給をオフとさせ、受信周波数および現行セルは変更しない（ステップＳ１０９）。そして、オフ期間（図３）経過後にハンドオーバ制御部２０３は、電力制御部２０４に受信部２０２への電力供給をオンとさせ、ステップＳ１０２で指定チャンネルのデータを受信し受信品質を算出する。
【００３１】
もし、ステップＳ１０３で、算出された受信品質が設定値より小さければ（ステップＳ１０３のＮ）、ステップＳ１０４に進む。ステップＳ１０４で、ハンドオーバ制御部２０３は、受信品質を測定する時間が残りのオフ期間内に収まるか否か判定し、もし収まれば（ステップＳ１０４のＹ）、ステップＳ１０５に進む。
【００３２】
ステップＳ１０５で、ハンドオーバ制御部２０３は、セルリストの先頭のセル（そのセルが現行セルであればその次のセル）を対象セルとし、対象セルの受信周波数でデータ受信を行い受信品質を算出する。
【００３３】
そして、ステップＳ１０６で、ハンドオーバ制御部２０３は、算出された受信品質がステップＳ１０２で算出された現行セルの受信品質にヒステリシスを加えた値以上か否かを判定する。もし、現行セルの受信品質にヒステリシスを加えた値より小さければ（ステップＳ１０６のＮ）、受信品質が適正レベルでないとしてステップＳ１０７に進み、ハンドオーバ制御部２０３は、対象セルをセルリストにおける次のセル（そのセルが現行セルであればその次のセル）に変更し、ステップＳ１０４に戻る。なお、セルリストの参照は終端まで終われば先頭に戻る。
【００３４】
ステップＳ１０４で、受信品質を測定する時間が残りのオフ期間内に収まらないと判定された場合は（ステップＳ１０４のＮ）、ステップＳ１０９で、ハンドオーバ制御部２０３は、現行セルおよび受信周波数を変更せず、オフ期間経過後、ステップＳ１０２で指定チャンネルのデータを受信し受信品質を算出する。
【００３５】
ステップＳ１０６で、算出された受信品質が現行セルの受信品質にヒステリシスを加えた値以上であると判定された場合は（ステップＳ１０６のＹ）、ハンドオーバ制御部２０３は、電力制御部２０４に受信部２０２への電力供給をオフとさせ、ステップＳ１０８に進み、ハンドオーバ処理が開始される。ヒステリシスを用いることにより、頻繁なセル切り替えを防ぎ、省電力効果を高めることができる。
【００３６】
図７に、ハンドオーバ処理のフローチャートを示す。まず、ステップＳ２０１で、ハンドオーバ処理部２０３は、セルリストにおいて現行セルの通算時間に現行セルの滞在時間を加算する。
【００３７】
そして、ステップＳ２０２で、ハンドオーバ制御部２０３は、通算時間の降順にセルリストを並び替える。ただし、現行セルについては通算時間が０でないものの中で最後にリストする。
【００３８】
そして、ステップＳ２０３で、ハンドオーバ制御部２０３は、現行セルを対象セルに切り替え、受信周波数を対象セルの周波数に変更する。
【００３９】
その後、オフ期間が経過するとハンドオーバ制御部２０３は、電力制御部２０４に受信部２０２への電力供給をオンとさせ、ステップＳ１０２（図６）で、変更された受信周波数で、指定されたチャンネルのデータを受信し受信品質を算出する。ステップＳ１０８の後、ステップＳ１０５で受信品質の測定をする対象セルは、セルリストの先頭のセル（そのセルが現行セルであればその次のセル）とする。
【００４０】
また、このような受信処理の終了後、受信処理が再開された場合は、セルリストが既に作成されているので、ステップＳ１０１でセルリストは作成しない。
【００４１】
なお、セルリストにおいて通算時間の代わりにカウント値を用いてもよい。この場合、ステップＳ１０１でセルリストを作成する際の各セルのカウント値は０とする。また、ステップＳ２０１では、セルリストにおいて現行セルのカウント値に１を加算する。また、ステップＳ２０２では、カウント値の降順にセルリストを並び替え、ただし、現行セルについてはカウント値が０でないものの中で最後にリストするようにする。
【００４２】
このような受信処理によれば、セル切り替えの履歴を考慮することにより、ハンドオーバのための受信品質測定の頻度を低減でき、電力消費を削減することが可能となる。
【００４３】
（受信処理の第２実施形態）
また、図６のステップＳ１０８におけるハンドオーバ処理は図８のような処理としてもよい。
【００４４】
まず、ステップＳ３０１で、ハンドオーバ処理部２０３は、セルリストにおいて現行セルの通算時間に現行セルの滞在時間を加算する。
【００４５】
そして、ステップＳ３０２で、ハンドオーバ処理部２０３は、現行セルから対象セルへの切り替え履歴を保存する。なお、既に同じ切り替え履歴が保存されている場合は保存しない。
【００４６】
そして、ステップＳ３０３で、ハンドオーバ制御部２０３は、保存された切り替え履歴において対象セルから切り替えられたことがあるセルを優先して通算時間の降順に並べ、その後ろに残りのセルを通算時間の降順に並べる。ただし、上記残りのセルの中に現行セルがある場合は、上記残りのセルの通算時間が０でないものの中で最後にリストする。なお、保存された切り替え履歴において対象セルから切り替えられたことがあるセルがない場合は、セルを通算時間の降順に並べ、現行セルは通算時間が０でないものの中で最後にリストする。
【００４７】
そして、ステップＳ３０４で、ハンドオーバ制御部２０３は、現行セルを対象セルに切り替え、受信周波数を対象セルの周波数に変更する。
【００４８】
その後、オフ期間が経過するとハンドオーバ制御部２０３は、電力制御部２０４に受信部２０２への電力供給をオンとさせ、ステップＳ１０２（図６）で、変更された受信周波数で、指定されたチャンネルのデータを受信し受信品質を算出する。ステップＳ１０８の後、ステップＳ１０５で受信品質の測定をする対象セルは、セルリストの先頭のセル（そのセルが現行セルであればその次のセル）とする。
【００４９】
なお、セルリストにおいて通算時間の代わりにカウント値を用いる場合は、ステップＳ３０１では、セルリストにおいて現行セルのカウント値に１を加算する。また、ステップＳ３０３で、保存された切り替え履歴において対象セルから切り替えられたことがあるセルを優先してカウント値の降順に並べ、その後ろに残りのセルをカウント値の降順に並べる。ただし、上記残りのセルの中に現行セルがある場合は、上記残りのセルのカウント値が０でないものの中で最後にリストする。なお、保存された切り替え履歴において対象セルから切り替えられたことがあるセルがない場合は、セルをカウント値の降順に並べ、現行セルはカウント値が０でないものの中で最後にリストする。
【００５０】
このように切り替え履歴を保存して利用することにより、ハンドオーバのための受信品質測定の頻度をより低減でき、電力消費をより削減することが可能となる。
【００５１】
以下、本発明の効果例について述べる。
【００５２】
ここで、図９のように、セルＡ→セルＢ→セルＣ→サブセルｃ１→セルＣ→サブセルｃ２→セルＣを辿るような移動経路９０１（例えば、通勤経路）を２回繰り返して無線端末が移動する場合を仮定する。このような場合に受信処理の第１実施形態（ただし、カウント値を用いる場合）を行ったときのセルリストの遷移を図１０に示す。
【００５３】
１回目の地点１では、サーバから獲得するセル情報に基づきセルリストが作成され（図１０の１回目地点１に対応するセルリスト）、現行セルはセルＡに設定される。
【００５４】
そして、セルリストに基づきサブセルａ１→サブセルａ２→サブセルａ３→セルＢと受信品質が測定され、地点２で受信品質が適正レベルのセルとしてセルＢが４番目に見つかり、セルリストが更新され（図１０の１回目地点２に対応するセルリスト）、現行セルがセルＡからセルＢに切り替えられる。
【００５５】
そして、セルリストに基づきセルＡ→サブセルａ１→サブセルａ２→サブセルａ３→サブセルｂ１→サブセルｂ２→サブセルｂ３→セルＣと受信品質が測定され、地点３で受信品質が適正レベルのセルとしてセルＣが８番目に見つかり、セルリストが更新され（図１０の１回目地点３に対応するセルリスト）、現行セルがセルＢからセルＣに切り替えられる。
【００５６】
以降、地点７まで同様であり、地点７で現行セルがセルＣに切り替えられた後、受信処理が終了される。そして、地点１で受信処理が再開されると、セルリストは新たに作成されることはなく（図１０の２回目地点１に対応するセルリスト）、現行セルはセルＡに設定される。
【００５７】
そして、セルリストに基づきセルＣ→セルＢと受信品質が測定され、地点２で受信品質が適正レベルのセルとしてセルＢが２番目に見つかり、セルリストが更新され（図１０の２回目地点２に対応するセルリスト）、現行セルがセルＡからセルＢに切り替えられる。
【００５８】
そして、セルリストに基づきセルＣの受信品質が測定され、地点３で受信品質が適正レベルのセルとしてセルＣが１番目に見つかり、セルリストが更新され（図１０の２回目地点３に対応するセルリスト）、現行セルがセルＢからセルＣに切り替えられる。以降、地点７まで同様となる。
【００５９】
図１０から分かるように、セルＢは１回目地点２では４番目に見つかるのが、２回目地点２では２番目に見つかる。また、セルＣは１回目地点３では８番目に見つかるのが、１回目地点５で３番目、１回目地点７では４番目、２回目地点３では１番目、２回目地点５では４番目、２回目地点７では４番目に見つかる。また、サブセルｃ１は１回目地点４では９番目に見つかるのが、２回目地点４では２番目に見つかる。また、サブセルｃ２は１回目地点６では１０番目に見つかるのが、２回目地点６では３番目に見つかる。受信処理の第１実施形態によれば、切り替えられた頻度の高いセルがセルリストの先頭側に並べられるようセルリストが更新されるので、切り替えるセルを早期に見つけることができ、受信品質測定の頻度を削減して電力消費を削減することが可能となる。
【００６０】
図１１には、図９のような移動経路９０１を２回繰り返して無線端末が移動する場合に受信処理の第２実施形態（ただし、カウント値を用いる場合）を行ったときのセルリストの遷移を示す。
【００６１】
ここでは、１回目の地点２〜地点７において切り替え履歴が保存され、２回目の地点２〜地点７において保存された切り替え履歴に基づきセルリストが更新される。これにより、図１０との比較で２回目の地点４〜地点７において、より早期に切り替えるセルを見つけることができている。受信処理の第２実施形態によれば、現行セルから切り替えたことのあるセルが優先的にセルリストの先頭側にくるようセルリストが更新されるので、より早期に切り替えるセルを見つけることができ、より受信品質測定の頻度を削減し、より電力消費を削減することが可能となる。
【００６２】
なお、以上で説明した実施形態はあくまで本発明を実施するに当たっての一例であり、本発明の趣旨を逸脱しない程度のあらゆる変更が可能である。例えば、ＤＶＢ−Ｈに限ることなく、他の放送技術規格について本発明を適用してもよい。
【図面の簡単な説明】
【００６３】
【図１】は、ＤＶＢ−Ｈにおける無線システムを示す概略図である。
【図２】は、本発明に係る無線端末の概略構成図である。
【図３】は、ＤＶＢ−Ｈにおけるデータ伝送を示す図である。
【図４】は、セルの配置例を示す図である。
【図５】は、セル情報の構成例を示す図である。
【図６】は、受信処理の第１実施形態および第２実施形態に関するフローチャートである。
【図７】は、受信処理の第１実施形態におけるハンドオーバ処理のフローチャートである。
【図８】は、受信処理の第２実施形態におけるハンドオーバ処理のフローチャートである。
【図９】は、本発明の効果を説明するための仮定経路を示す図である。
【図１０】は、受信処理の第１実施形態を行ったときのセルリストの遷移を示す図である。
【図１１】は、受信処理の第２実施形態を行ったときのセルリストの遷移を示す図である。
【符号の説明】
【００６４】
１０１    サーバ
１０２    ネットワーク
１０３    セル
１０３ａ    親局
１０４    サブセル
１０４ａ    リピータ
１０５    無線端末
２０１    アンテナ
２０２    受信部
２０３    ハンドオーバ制御部
２０４    電力制御部
３０１、３０２、３０３    データ
３０４、３０５    オフ期間
５０１、５０２、５０３    親セル情報
５０１ａ１、５０１ａ２、５０１ａ３    サブセル情報
５０２ａ１、５０２ａ２    サブセル情報
５０３ａ１、５０３ａ２、５０３ａ３    サブセル情報
９０１    移動経路
【図１】
2009253357.tif 000003
【図２】
2009253357.tif 000004
【図３】
2009253357.tif 000005
【図４】
2009253357.tif 000006
【図５】
2009253357.tif 000007
【図６】
2009253357.tif 000008
【図７】
2009253357.tif 000009
【図８】
2009253357.tif 000010
【図９】
2009253357.tif 000011
【図１０】
2009253357.tif 000012
【図１１】
2009253357.tif 000013